(57)【特許請求の範囲】
【請求項１】
被写体を撮像して撮影画像を得る撮像手段と、
前記撮像手段による撮影方向の重力方向に対して垂直の水平面に対する傾きが変更される方向を検出する検出手段と、
前記撮像手段による撮影画像の輝度の分布を検出する輝度分布検出手段と、
前記検出手段により検出された傾きが変更される方向に応じて変化する、前記輝度分布検出手段により検出される輝度の分布に基づき、撮影シーンを判別する判別手段と
を備えることを特徴とする撮像装置。
【請求項２】
前記判別手段は、
前記検出手段により前記水平面に対する傾きが上方向に変更されたと検出された場合であって、前記輝度分布検出手段により画面上部の明るい範囲が広がり、中央部の暗い範囲が下側に移動した場合に、前記撮影シーンは逆光であると判別する
ことを特徴とする請求項１に記載の撮像装置。
【請求項３】
前記判別手段により判別された撮影シーンに応じて、前記撮影画像の露出を制御する撮影制御手段を更に備える
ことを特徴とする請求項１又は２に記載の撮像装置。
【請求項４】
前記撮像手段による撮影画像の輝度を検出する輝度検出手段を更に備え、
前記撮影制御手段は、
前記輝度検出手段により検出された輝度が所定値以下の場合には、前記露出の補正量を制限する
ことを特徴とする請求項３に記載の撮像装置。
【請求項５】
撮像装置のコンピュータに、
被写体を撮像して撮影画像を得る撮像機能、
前記撮像機能による撮影方向の重力方向に対して垂直の水平面に対する傾きが変更される方向を検出する検出機能、
前記撮像機能による撮影画像の輝度の分布を検出する輝度分布検出機能、
前記検出機能により検出された傾きが変更される方向に応じて変化する、前記輝度分布検出機能により検出される輝度の分布に基づき、撮影シーンを判別する判別機能
を実現させることを特徴とするプログラム。
【請求項６】
撮像装置における撮影方法であって、
被写体を撮像して撮影画像を得る撮像工程と、
前記撮像工程による撮影方向の重力方向に対して垂直の水平面に対する傾きが変更される方向を検出する検出工程と、
前記撮像工程による撮影画像の輝度の分布を検出する輝度分布検出工程と、
前記検出工程により検出された傾きが変更される方向に応じて変化する、前記輝度分布検出工程により検出される輝度の分布に基づき、撮影シーンを判別する判別工程と
を含むことを特徴とする撮影方法。
【発明の詳細な説明】
【技術分野】
【０００１】
本発明は、撮撮像装置、プログラム、及び撮影方法に関する。
【背景技術】
【０００２】
従来、デジタルカメラにおいては、正確なシーン判別を行い、より適切な画質補正を行う技術が提案されている（例えば、特許文献１参照）。該従来技術では、シーン判定を行う際に逆光判定であれば、画面中央付近の明るさを元に判定を行う。また、青空判定であれば、青空と同じ色空間に含まれる画素が画面のどのくらいの割合を占めるのかで判定を行う。同様に、夕日判定も、夕日と同じ色空間に含まれる画素が画面にどのくらいの割合を占めるのかで判定を行う。また、風景判定は、画像の輝度値がある閾値以上の場合に風景と判定する。
【先行技術文献】
【特許文献】
【０００３】
【特許文献１】特開２００９−２３９７７２
【発明の概要】
【発明が解決しようとする課題】
【０００４】
しかしながら、上記従来技術では、逆光判定であれば、画像中央に黒い物体がある場合、逆光ではないにもかかわらず逆光と誤判定してしまう。また、青空判定では、青空に近い色の物体がある場合、青空が画像に含まれていなくても青空と誤判定してしまう。同様に、夕日判定では、夕日に近い色の物体がある場合、夕日が画像に含まれていなくても夕日と誤判定してしまう。また、風景判定では、輝度値がある閾値以上ある場合、風景でないにもかかわらず風景と誤判定してしまうという問題がある。
【０００５】
また、デジタルカメラを水平より上方に向けると、空や、照明等が写る面積が増す。空のような凄く明るい被写体を撮影する場合には、アンダー露出になりやすい傾向があることは周知である。このような場合、ユーザがＥＶシフト操作により露光量を増やし明るく撮影することで適正露出を得ることができる。一方、下方に向けると、空や、照明の面積は少なくなる。この場合もユーザがＥＶシフトを操作することで、露光量を減らし適正露出を得ることができる。しかしながら、いずれの場合もユーザが手動で操作する必要があるという問題がある。
【０００６】
そこで本発明は、当該撮像装置の傾きによって変化する撮影条件をより適切に制御することができる撮撮像装置、プログラム、及び撮影方法を提供することを目的とする。
【課題を解決するための手段】
【０００７】
上記目的達成のため、請求項１記載の発明は、被写体を撮像して撮影画像を得る撮像手段と、前記撮像手段による撮影方向の重力方向に対して垂直の水平面に対する傾きが変更される方向を検出する検出手段と、前記撮像手段による撮影画像の輝度の分布を検出する輝度分布検出手段と、前記検出手段により検出された傾きが変更される方向に応じて変化する、前記輝度分布検出手段により検出される輝度の分布に基づき、撮影シーンを判別する判別手段とを備えることを特徴とする撮像装置である。
【００１０】
また、好ましい態様として、例えば請求項２記載のように、請求項１に記載の撮像装置において、前記判別手段は、前記検出手段により前記水平面に対する傾きが上方向に変更されたと検出された場合であって、前記輝度分布検出手段により画面上部の明るい範囲が広がり、中央部の暗い範囲が下側に移動した場合に、前記撮影シーンは逆光であると判別することを特徴とする。
また、好ましい態様として、例えば請求項３記載のように、請求項１又は２に記載の撮像装置において、前記判別手段により判別された撮影シーンに応じて、前記撮影画像の露出を制御する撮影制御手段を更に備えることを特徴とする。
【００１６】
また、好ましい態様として、例えば請求項４記載のように、請求項３に記載の撮像装置において、前記撮像手段による撮影画像の輝度を検出する輝度検出手段を更に備え、前記撮影制御手段は、前記輝度検出手段により検出された輝度が所定値以下の場合には、前記露出の補正量を制限することを特徴とする。
【００１８】
また、上記目的達成のため、請求項５記載の発明は、撮像装置のコンピュータに、被写体を撮像して撮影画像を得る撮像機能、前記撮像機能による撮影方向の重力方向に対して垂直の水平面に対する傾きが変更される方向を検出する検出機能、前記撮像機能による撮影画像の輝度の分布を検出する輝度分布検出機能、前記検出機能により検出された傾きが変更される方向に応じて変化する、前記輝度分布検出機能により検出される輝度の分布に基づき、撮影シーンを判別する判別機能を実現させることを特徴とするプログラムである。
また、上記目的達成のため、請求項６記載の発明は、撮像装置における撮影方法であって、被写体を撮像して撮影画像を得る撮像工程と、前記撮像工程による撮影方向の重力方向に対して垂直の水平面に対する傾きが変更される方向を検出する検出工程と、前記撮像工程による撮影画像の輝度の分布を検出する輝度分布検出工程と、前記検出工程により検出された傾きが変更される方向に応じて変化する、前記輝度分布検出工程により検出される輝度の分布に基づき、撮影シーンを判別する判別工程とを含むことを特徴とする撮影方法である。
【発明の効果】
【００１９】
この発明によれば、当該撮像装置の傾きによって変化する撮影条件をより適切に制御することができるという利点が得られる。
【図面の簡単な説明】
【００２０】
【図１】本発明の実施形態によるデジタルカメラの構成を示すブロック図である。
【図２】本実施形態において、デジタルカメラを横方向から見たときのデジタルカメラの水平方向（０°）に対するデジタルカメラの傾きχ°を示す概念図である。
【図３】本実施形態において、デジタルカメラがどの程度、上向きか、下向き化を判断するための基準となる判断角度値α°と下方向の判断角度値β°とを説明するための概念図である。
【図４】本実施形態において、デジタルカメラが上向きである場合のデジタルカメラの傾きχ°と判断角度値α°との関係を示す概念図である。
【図５】本実施形態において、デジタルカメラが下向きである場合のデジタルカメラの傾きχ°と判断角度値β°との関係を示す概念図である。
【図６】本実施形態において、デジタルカメラの傾きと露出補正量との関係を示す概念図である。
【図７】本実施形態において、デジタルカメラの傾きχ°に応じて撮影シーンを判別するための撮影シーン判別テーブルの一例を示す概念図である。
【図８】本実施形態において、デジタルカメラの傾きχ°に応じて露出を補正するための露出補正テーブルの一例を示す概念図である。
【図９】本実施形態によるデジタルカメラの動作を説明するためのフローチャートである。
【図１０】本実施形態によるデジタルカメラの動作を説明するためのフローチャートである。
【図１１】本実施形態によるデジタルカメラの動作を説明するためのフローチャートである。
【図１２】本実施形態によるデジタルカメラでの撮影シーン判別処理の動作を説明するためのフローチャートである。
【発明を実施するための形態】
【００２１】
以下、本発明の実施の形態を、図面を参照して説明する。
【００２２】
一般的に、デジタルカメラを被写体に向けたとき、デジタルカメラの傾きが水平より上方であると、空や照明等が写る面積が増し、アンダー露出になりやすい傾向があり、逆に下方であるとオーバー露出になりやすい傾向があった。そこで、本発明では、三軸加速度センサの情報を元に、空や照明、芝、土等が多く映る場合でもデジタルカメラの傾きに応じて補正量を決定し最適露出を実現する。
【００２３】
Ａ．実施形態の構成
図１は、本発明の実施形態によるデジタルカメラの構成を示すブロック図である。図において、デジタルカメラ１は、撮像部２、制御部３、操作部４、表示部５、記憶部６、加速度センサ７、輝度センサ８、及び電源部９を備えている。
【００２４】
撮像部２は、カメラレンズ部２−１、撮像素子２−２、アナログ処理部２−３、画像信号処理部２−４、圧縮伸張部２−５、各種センサ部２−６を備えている。カメラレンズ部２−１は、フォーカスレンズ、ズームレンズなどを含み、被写体像を撮像素子２−２上に結像する。撮像素子２−２は、投影された被写体の光を電気信号に変換する。
【００２５】
アナログ処理部２−３は、撮像素子２−２から出力される撮像信号を相関二重サンプリングして保持するＣＤＳ（Correlated
Double Sampling）回路、そのサンプリング後の撮像信号の自動利得調整を行うＡＧＣ（Automatic
Gain Control）回路、その自動利得調整後のアナログの撮像信号をデジタル信号に変換するＡ／Ｄ変換器から構成されている。
【００２６】
画像信号処理部２−４は、アナログ処理部２−３から送られてきた画像データの画像処理（画素補間処理、γ補正、輝度色差信号の生成、ホワイトバランス処理、露出補正処理等）を行う。圧縮伸張部２−５は、画像データの圧縮・伸張（例えば、ＪＰＥＧ形式やＭ−ＪＰＥＧ形式又はＭＰＥＧ形式の圧縮・伸張）の処理を行う。各種センサ部２−６は、撮像部２を駆動するための各種センサからなる。
【００２７】
制御部３は、デジタルカメラ１の各部を制御するワンチップマイコンである。特に、本実施形態では、制御部３は、デジタルカメラ１の撮影時の傾きに応じて、撮影シーンの特定や、露出補正などを制御するようになっている。操作部４は、シャッタスイッチ、ズームスイッチ、モードキー、ＳＥＴキー、十字キー等の複数の操作キーを含み、ユーザのキー操作に応じた操作信号を制御部３に出力する。表示部５は、カラーＬＣＤや有機ＥＬ（Electro
Luminescence）ディスプレイなどとその駆動回路を含み、撮像待機状態にあるときには、撮像部２によって撮像された被写体をスルー画像として表示し、記録画像の再生時には、記憶部６から読み出され、伸張された記録画像を表示する。
【００２８】
記憶部６は、撮像された画像データを記憶するメモリと、制御部３によるデジタルカメラ１の各部の制御に必要なプログラム、及び各部の制御に必要なデータを保持するメモリなどからなる。特に、本実施形態では、記憶部６は、デジタルカメラ１の傾きに応じて撮影シーンを判別するための撮影シーン判別テーブル６−１と、デジタルカメラ１の傾きに応じて露出補正するための露出補正量を判別するための露出補正テーブル６−２とを保持している。該撮影シーン判別テーブル６−１、及び露出補正テーブル６−２の詳細については後述する。加速度センサ７は、三軸加速度センサなどからなり、デジタルカメラ１の傾きを検出する。輝度センサ８は、撮影時の輝度を検出する。電源部９は、上述した各部に電力を供給する。
【００２９】
図２は、本実施形態において、横向きに構えたデジタルカメラ１を横方向から見たときのデジタルカメラ１の重力方向に対して垂直の水平方向（０°）に対するデジタルカメラ１の撮影方向の傾きχ°を示す概念図である。デジタルカメラ１の水平を基準に０°とした場合、デジタルカメラ１の傾きは、図２に示すように、水平方向（０°）からデジタルカメラ１の水平ラインまでの角度χ°で表す。図２に示すように、デジタルカメラ１を構えときの傾きχ°により、デジタルカメラ１を上に向けているのか、下に向けているのか判断できる。なお、撮影方向とは光軸のことをいう。
【００３０】
図３は、本実施形態において、デジタルカメラ１がどの程度、上向きか、下向き化を判断するための基準となる判断角度値α°と下方向の判断角度値β°とを説明するための概念図である。本実施形態では、デジタルカメラ１の水平面を０°としたとき、上方向に上向きスレッシュ（規定値）、下方向に下向きスレッシュ（規定値）を設定し、水平面（０°）から上向きスレッシュ（規定値）までの間を判断角度値α°、水平面（０°）から下向きスレッシュ（規定値）までの間を判断角度値β°としている。
【００３１】
図４は、本実施形態において、デジタルカメラ１が上向きである場合のデジタルカメラ１の傾きχ°と判断角度値α°との関係を示す概念図である。また、図５は、本実施形態において、デジタルカメラ１が下向きである場合のデジタルカメラ１の傾きχ°と判断角度値β°との関係を示す概念図である。
【００３２】
すなわち、
χ＞αの場合（上に向けている場合：図４を参照）には、目標値を高くするなどして明るめに撮れるように補正する。
χ＜βの場合（下に向けている場合：図５を参照）には、      目標値を低くするなどして暗めに撮れるように補正する。
【００３３】
また、図４に示すように、デジタルカメラ１が上方向に傾くに従って、画像上部の明るい範囲が広がり、中央部の逆光とは認識されない程度の暗い部分が下方向に移動するシーンでは逆光と判定する。
【００３４】
図６は、本実施形態において、デジタルカメラ１の傾きと露出補正量との関係を示す概念図である。露出補正量として、水平面（０°）に対して上下方向の所定の角度範囲で±０％、上方向に傾きが大きくなるに従って、＋５％、＋１０％、＋１５％、＋２０％、＋２５％、＋３０％、下方向に傾きが大きくなるに従って、−５％、−１０％、−１５％、−２０％、−２５％、−３０％とになるように、角度に応じて露光量を補正するようになっている。
【００３５】
このような露出補正処理を行う理由として、空を多く含む場合、露出を抑えようと働き主要被写体が暗くなってしまうことが多いが、明るめに補正することで、空は多少白飛びしてしまう恐れはあるが、主要被写体は適正露出になるので許容できると考える。一方、下を向けている場合には、空のように明るいものが少ないため、白飛びをさせないよう暗めに補正することで適正露出にすることができる。但し、これらの露出補正は、夜景撮影時（もしくは、ＬＶ値が小さい時）は、雰囲気を損なわないようにするため行わないようにしてもよい。
【００３６】
このように、主要被写体以外のものが画角の多くを占める場合、すなわち、空や、照明、芝、土等が多く映る場合でも、デジタルカメラ１の傾きに応じて露出の補正量を決定し最適露出を実現することで、空や、照明等の影響を受けることなく、被写体を適正露出で撮影することができる。
【００３７】
図７は、本実施形態において、デジタルカメラ１の傾きχ°に応じて撮影シーンを判別するための撮影シーン判別テーブル６−１の一例を示す概念図である。加速度センサ７などによりデジタルカメラ１が、水平方向（０°）に対して下方向−ａ°の角度であると検出したときには、「逆光被写体はない」と判定し、水平方向（０°）に対して下方向−ｂ°の角度であると検出したときには、「青空はない」と判定し、水平方向（０°）に対して下方向−ｃ°の角度であると検出したときには、「夕日はない」と判定し、水平方向（０°）に対して下方向−ｄ°の角度であると検出したときには、「風景はない」と判定する。このように、デジタルカメラ１が下方向を向いているときは、逆光被写体はない、青空はない、夕日はない、風景ではない、と判断することで、撮影シーン判定の誤判定を軽減することができる。
【００３８】
図８は、本実施形態において、デジタルカメラ１の傾きχ°に応じて露出を補正するための露出補正テーブル６−２の一例を示す概念図である。図６に示すデジタルカメラ１の傾きと露出補正量との関係をテーブル化したものである。本実施形態では、露出補正量として、水平面（０°）に対して＋ｕ°以上の場合には＋３０％、＋ｔ°〜＋ｕ°の場合には＋２５％、＋ｓ°〜＋ｔ°の場合には＋２０％、＋ｒ°〜＋ｓ°の場合には＋１５％、＋ｑ°〜＋ｓ°の場合には＋１０％、＋ｐ°〜＋ｑ°の場合には＋５％、−ｐ°〜＋ｐ°の場合には±０％、−ｑ°〜−ｐ°の場合には−５％、−ｒ°〜−ｑ°の場合には−１０％、−ｓ°〜−ｒ°の場合には−１５％、−ｔ°〜−ｓ°の場合には−２０％、−ｕ°〜−ｔ°の場合には−２５％、−ｕ°以下の場合には−３０％としている。なお、ｐ＜ｑ＜ｒ＜ｓ＜ｔ＜ｕの関係を有する。
【００３９】
Ｂ．実施形態の動作
次に、上述した実施形態の動作について説明する。
図９から図１１は、本実施形態によるデジタルカメラ１の動作を説明するためのフローチャートである。まず、撮影モードであるか否かを判断し（ステップＳ１０）、撮影モードである場合には（ステップＳ１０でＹＥＳ）、撮影モード初期設定を行うとともに、撮像部２により取り込んだ画像をモニタ出力、すなわち表示部５に出力する（ステップＳ１２）。
【００４０】
次に、加速度センサ７の値を取得し（ステップＳ１４）、デジタルカメラ１の傾きが変更されたか否かを判断する（ステップＳ１６）。そして、デジタルカメラ１の傾きが変更された場合には（ステップＳ１６でＹＥＳ）、水平方向に対する傾きを算出する（ステップＳ１８）。次に、輝度センサ８の値を取得する（ステップＳ２０）。
【００４１】
次に、傾きχ°を基に撮影シーン判別テーブル６−１を参照し、傾きχ°に応じた撮影シーンを取得し（ステップＳ２２）、後述する撮影シーン判別処理により逆光を含めた撮影シーンを判別する（ステップＳ２４）。次に、撮影画像の平均輝度を算出し（ステップＳ２６）、算出した平均輝度が所定値以上であるか否かを判断し（ステップＳ２８）、所定値以上でない場合には（ステップＳ２８でＮＯ）、ステップＳ１４に戻る。
【００４２】
一方、算出した平均輝度が所定値以上である場合には（ステップＳ２８でＹＥＳ）、判別した撮影シーンが露出補正対象であるか否かを判断する（ステップＳ３０）。なお、撮影シーンが夜景、書籍・書類、ホワイトボードモードなどの場合には、露出補正の対象外である。そして、判別した撮影シーンが露出補正対象外である場合には（ステップＳ３０でＮＯ）、ステップＳ１４に戻る。
【００４３】
一方、判別した撮影シーンが露出補正対象である場合には（ステップＳ３０でＹＥＳ）、傾きχ°を基に露出補正テーブル６−２を参照して露出補正値を取得し（ステップＳ３２）、取得した露出補正値で露出を補正する（ステップＳ３４）。その後、ステップＳ１４に戻る。
【００４４】
一方、ステップＳ１６でデジタルカメラ１の傾きに変化がない場合には（ステップＳ１６でＮＯ）、シャッタ操作があったか否かを判断する（図１０のステップＳ３６）。そして、シャッタ操作があった場合には（ステップＳ３６でＹＥＳ）、判別した撮影シーン、取得した露出補正値で補正した露出で撮影処理を行い（ステップＳ３８）、撮影した画像を保存する（ステップＳ４０）。その後、図９のステップＳ１４に戻る。
【００４５】
また、ステップＳ１６でデジタルカメラ１の傾きに変化がなく（ステップＳ１６でＮＯ）、シャッタ操作がない場合には（図１０ステップＳ３６でＮＯ）、モード選択操作があったか否かを判断し（ステップＳ４２）、モード選択操作がない場合には（ステップＳ４２でＮＯ）、その他の操作（露出設定、ズーム、設定等）があったか否かを判断し（ステップＳ４４）、その他の操作があった場合には（ステップＳ４４でＹＥＳ）、操作に応じた処理を実行し（ステップＳ４６）、図９のステップＳ１４に戻る。その他の操作がなかった場合には（ステップＳ４４でＮＯ）、そのまま図９のステップＳ１４に戻る。
【００４６】
また、ステップＳ１０で再生モードであると判断された場合（ステップＳ１０でＮＯ）、あるいは、図１０のステップＳ４２で、モード選択操作があったと判断された場合には（ステップＳ４２でＹＥＳ）、再生モード初期設定を行い、撮影画像を表示部５に表示し（図１１のステップＳ４８）、モード変更操作があったか否かを判断する（スップＳ５０）。そして、モード変更操作があった場合には（ステップＳ５０でＹＥＳ）、図９のステップＳ１２に戻る。
【００４７】
一方、モード変更操作がない場合には（図１１のステップＳ５０でＮＯ）、その他の操作（画像送り、ズーム、スライドショー等）があったか否かを判断し（ステップＳ５２）、その他の操作があった場合には（ステップＳ５２でＹＥＳ）、操作に応じた処理を実行し（ステップＳ５４）、ステップＳ５０に戻る。その他の操作がなかった場合には（ステップＳ５２でＮＯ）、そのままステップＳ５０に戻る。
【００４８】
図１２は、本実施形態によるデジタルカメラ１での、上述した撮影シーン判別処理（図９のステップＳ２４）の動作を説明するためのフローチャートである。撮影シーン判別処理では、まず、図９のステップＳ１４で取得した傾きχ°が、逆光被写体がない角度であるか否か、すなわち撮影シーン判別テーブル６−１から参照した撮影シーンが「逆光被写体はない」であったか否かを判断し（ステップＳ６０）、逆光被写体はない角度でない場合には（ステップＳ６０でＮＯ）、輝度センサ８から輝度分布を検出する（ステップＳ６２）。
【００４９】
次に、前回の輝度分布と今回の輝度分布とを比較し（ステップＳ６４）、上部の明るい範囲が広がっているか否かを判断し（ステップＳ６６）、明るい範囲が広がっている場合には（ステップＳ６６でＹＥＳ）、中央部の暗い範囲が下側に移動しているか否かを判断する（ステップＳ６８）。そして、上部の明るい範囲が広がっており、かつ、中央部の暗い範囲が下側に移動している場合には（ステップＳ６８でＹＥＳ）、撮影シーンを逆光として判別し（ステップＳ７０）、今回の輝度分布を保存し（ステップＳ７２）、メインルーチンに戻る。このように、デジタルカメラ１が上方向に傾くに従って、画像上部の明るい範囲が広がり、中央部の暗い部分が下側に移動するシーンでは、逆光と判定することで、逆光判定の精度が向上する。
【００５０】
一方、ステップＳ６０で逆光被写体はない角度である場合（ステップＳ６０でＹＥＳ）、あるいは、ステップＳ６６で上部の明るい範囲が広がっていない場合（ステップＳ６６でＮＯ）、あるいはステップＳ６８で中央部の暗い範囲が下側に移動していない場合には（ステップＳ６８でＮＯ）、撮影シーン判別テーブル６−１から傾きχ°に応じた撮影シーンを判別し（ステップＳ７４）、メインルーチンに戻る。すなわち、撮影シーン判別テーブル６−１から傾きχ°に対応する撮影シーンを判別する。
【００５１】
上述した実施形態によれば、被写体を撮像して撮影画像を取得し、撮影方向の重力方向に対して垂直の水平面に対する傾きを検出し、撮影画像の撮影条件を取得し、検出された傾きに応じて、取得された撮影画像の撮影条件を制御するようにしたので、当該撮像装置の傾きによって変化する撮影条件をより適切に制御することができる。
【００５２】
また、撮影画像の撮影シーンを判別することにより撮影条件を取得し、検出された傾きに応じて、撮影条件を取得するために判別される撮影シーンを特定するようにしたので、撮影シーンを正確に判別できるとともに、判別のための処理量を低減することができる。
【００５３】
また、撮影画像の輝度の分布を更に検出し、水平面に対する傾きが変更される方向を更に検出し、検出された傾きが変更される方向に応じて変化する検出される輝度の分布に応じて、撮影条件を取得するために判別される撮影シーンを更に特定するようにしたので、撮影シーンをより正確に判別することができる。
【００５４】
また、水平面に対する傾きが上方向に変更されたと検出された場合であって、画面上部の明るい範囲が広がり、中央部の暗い範囲が下側に移動した場合に、撮影シーンは逆光であると判別するようにしたことで、逆光の判別が正確にできるようになる。
【００５５】
また、水平面に対する傾きが所定の角度以上下向きであると検出された場合には、撮影シーンの判別で撮像画像に逆光被写体は含まれないと特定するようにしたので、撮影シーンをより正確に判別することができる。
【００５６】
また、水平面に対する傾きが所定の角度以上下向きであると検出された場合には、撮影シーンの判別で撮像画像に青空は含まれないと特定するようにしたので、撮影シーンをより正確に判別することができる。
【００５７】
また、水平面に対する傾きが所定の角度以上下向きであると検出された場合には、撮影シーンの判別で撮像画像に夕日は含まれないと特定するようにしたので、撮影シーンをより正確に判別することができる。
【００５８】
また、水平面に対する傾きが所定の角度以上下向きであると検出された場合には、撮影シーンの判別で撮像画像に風景は含まれないと特定するようにしたので、撮影シーンをより正確に判別することができる。
【００５９】
また、撮影画像の露出を取得し、検出された傾きに応じて、取得された露出の補正量を制御するようにしたので、従来傾きによってユーザが手動で行っていた露出補正を自動で行うことができる。
【００６０】
また、撮影画像の輝度を検出し、検出された輝度が所定値以下の場合には、露出補正量を制限するようにしたので、露出補正が不要な状況で、不要な露出補正を防ぐことができる。
【００６１】
また、撮影画像の撮影シーンを判別することにより撮影条件を更に取得し、撮影条件を取得するために判別される撮影シーンに応じて露出補正量を制限するようにしたので、露出補正が不要な状況で、不要な露出補正を防ぐことができる。
【００６２】
また、上述の実施形態は、デジタルカメラ１を横向きに構えた場合について説明したが、縦向きに構えた場合であっても、上述の露出補正は角度に応じて処理を行うので向きによらず同じ処理が実行される。
【００６３】
また、上述した実施形態においては、撮像装置としてデジタルカメラに適用した場合を示したが、撮像部を備えた携帯電話機・パーソナルコンピュータ（ノートパソコンなど）・ＰＤＡなどであってもよい。
【符号の説明】
【００６４】
１  デジタルカメラ
２  撮像部
２−１  カメラレンズ部
２−２  撮像素子
２−３  アナログ処理部
２−４  画像信号処理部
２−５  圧縮伸張部
２−６  各種センサ部
３  制御部
４  操作部
５  表示部
６  記憶部
６−１  撮影シーン判別テーブル
６−２  露出補正テーブル
７  加速度センサ
８  輝度センサ
９  電源部
【図１】
0005641316.tif 000002
【図２】
0005641316.tif 000003
【図３】
0005641316.tif 000004
【図４】
0005641316.tif 000005
【図５】
0005641316.tif 000006
【図６】
0005641316.tif 000007
【図７】
0005641316.tif 000008
【図８】
0005641316.tif 000009
【図９】
0005641316.tif 000010
【図１０】
0005641316.tif 000011
【図１１】
0005641316.tif 000012
【図１２】
0005641316.tif 000013